(57)【要約】      （修正有）【課題】検体をトレイの任意の位置に並べることができ、またパラフィンの仮固定が不要であるので検体を包埋するパラフィンの継目をなくし、薄切時に継目から剥離したり、割れることのないパラフィンブロックを得ることが可能なパラフィンブロックの作製キットを提供する。【解決手段】カセット本体の底面部に検体を包埋したパラフィンが付着してなるパラフィンブロックを作製するためのトレイＴと、第１剥離層、第１粘着層Ａ２、基材層Ａ３、第２粘着層Ａ４及び第２剥離層からなる両面粘着性シートＡとから構成される。使用時は、トレイの底面上に、両面粘着性シートの第２剥離層が剥離除去され、第２粘着層を介して粘着固定される。【選択図】図３
0003213828.tif 000002
【実用新案登録請求の範囲】
【請求項１】
カセット本体の底面部に検体を包埋したパラフィンが付着してなるパラフィンブロックを作製するためのトレイと、第１剥離層、第１粘着層、基材層、第２粘着層及び第２剥離層からなる両面粘着性シートとから構成されることを特徴とするパラフィンブロックの作製キット。
【請求項２】
両面粘着性シートの第２剥離層の上に、第１剥離層、第１粘着層、基材層及び第２粘着層が複数個形成されていることを特徴とするパラフィンブロックの作製キット。
【請求項３】
両面粘着性シートの外周に把持部が突設され、該把持部は第１剥離層及び第２剥離層からなることを特徴とする請求項１又は２に記載のパラフィンブロックの作製キット。
【請求項４】
カセット本体の底面部に検体を包埋したパラフィンが付着してなるパラフィンブロックを作製するためのトレイの底面上に、第１剥離層、第１粘着層、基材層、第２粘着層及び第２剥離層からなる両面粘着性シートの第２剥離層が剥離除去され、
前記第２粘着層を介して粘着固定されていることを特徴とするパラフィンブロックの作製キット。
【考案の詳細な説明】
【技術分野】
【０００１】
本考案は、パラフィンブロック作製キットに関し、更に詳しくは、検体をトレイの任意の位置に自在に並べることができ、また、パラフィンによる仮固定が不要であるのでパラフィンの継目がなく、薄切時に該継目から剥離したり、割れることのないパラフィンブロックの作製キットに関する。
【背景技術】
【０００２】
従来、この種の顕微鏡標本の作成に用いられる医療検査用カセット（以下、単にカセットと称することがある）は、図９及び図１０に示すように、耐薬品性合成樹脂からなるカセット本体Ｃ１と蓋体Ｃ２とを具備してなる。カセット本体Ｃ１は、上面を開放した方形の容器で、底面部に多数の透孔Ｃ３を有し、短辺側の一側壁の外側に底面部に向かって末広がり状に傾斜した板状の記録部Ｃ１ａを設けている。蓋体Ｃ２は、着脱可能な板状体で、板面に多数の透孔Ｃ３を有している。Ｃ４は係止部である。
【０００３】
上記カセットＣを使用して顕微鏡標本を作製するには、まず、図１０に示すように、採取した検体Ｓをカセット本体Ｃ１内に収容して蓋体Ｃ２を取り付け、記録部Ｃ１ａに被検者を特定するための氏名や記号等を記録しておく。
【０００４】
続いて、蓋体Ｃ２の透孔Ｃ３を通じて、検体Ｓを水洗し、アルコールにより検体Ｓの水分を除去し、キシレンにより検体Ｓの脂肪分を除去するとともに後述する液状パラフィンとの親和性を付与する。
【０００５】
次に、図１１、図１２に示すように、ステンレス製のトレイＴ内に液状パラフィンＰを入れ、検体Ｓをカセット本体Ｃ１から取り出して前記トレイＴの中に移し替え、トレイＴの中に液状パラフィンＰ（Ｐ１）を少量入れ検体Ｓに液状パラフィンを浸透させ検体Ｓを仮固定する。続いて、図１３に示すように、トレイＴのカセット載置部Ｔ２にカセット本体Ｃ１を載せ、更に、カセット本体Ｃ１が浸るまで、追加の液状パラフィンＰ（Ｐ２）を検体Ｓ上に注ぎ足す。
【０００６】
次いで、図１４に示すように、液状パラフィンＰ（Ｐ１、Ｐ２）が固化した後トレイＴを取り去ることにより、検体Ｓを包埋したパラフィンＰ（Ｐ１、Ｐ２）がカセット本体Ｃ１の底面部に付着してなるパラフィンブロックＢを得る。
【０００７】
次に、図１５に示すように、ミクロトーム（図示せず）上にパラフィンブロックＢを裏返して載せて、ミクロトームに設置されたアダプターをパラフィンブロックＢに係合することにより、パラフィンブロックＢをミクロトームに固定する。続いて、パラフィンＰの検体Ｓを包埋した部分をスライスし、得られた薄片に染色、その他の所定の処理を施すことにより、図１６に示すような顕微鏡標本Ｈを得る。
【先行技術文献】
【特許文献】
【０００８】
【特許文献１】特許第４４０２２６５号公報
【考案の概要】
【考案が解決しようとする課題】
【０００９】
しかしながら、上記の方法では、トレイＴ内での検体Ｓの保持性が悪く、トレイＴ内での液状パラフィンを注ぐ際に、検体Ｓが丸まったり、移動して片寄ったりして作業効率を低下させる場合がある。また、複数個の検体を処理する場合には、これらの検体がトレイ内で移動し、各検体の識別が不可能又は困難となる。
更に、上記の液状パラフィンを注ぐ方法では、検体Ｓを包埋する最初の浸透及び固定に用いたパラフィンＰ１と追加のパラフィンＰ２との２層になり、この２層間に継目ＰＪが生じることが避けられない（図１３〜１５）。このため、得られたパラフィンブロックＢをミクロトームに固定しスライスする際に、この継目から割れたり、剥離するトラブルが発生し貴重な検体を台無しにする場合がある。
【００１０】
本考案は上記のような従来技術の問題点を解決するべく鋭意研究の結果、トレイ内での検体の保持が容易であり、また、検体を任意の位置に並べることができ、複数個の検体であっても位置が固定され変わらないので識別が可能であり、更に、検体を包埋するパラフィンに継目がなく、従って、スライスする際に、割れたり、剥離したりするトラブルを解消したパラフィンブロックの作製キットを提供するに至ったものである。
【課題を解決するための手段】
【００１１】
即ち、本考案の特徴は、カセット本体の底面部に検体を包埋したパラフィンが付着してなるパラフィンブロックを作製するためのトレイと、第１剥離層、第１粘着層、基材層、第２粘着層及び第２剥離層からなる両面粘着性シートとから構成されることを特徴とするパラフィンブロックの作製キットである。
【００１２】
本考案の他の特徴は、両面粘着性シートの第２剥離層の上に、第１剥離層、第１粘着層、基材層及び第２粘着層が複数個形成されていることを特徴とするパラフィンブロックの作製キットである。
【００１３】
本考案の他の特徴は、両面粘着性シートの外周に把持部が突設され、該把持部は第１剥離層及び第２剥離層からなることを特徴とするパラフィンブロックの作製キットである。
【００１４】
本考案の他の特徴は、カセット本体の底面部に検体を包埋したパラフィンが付着してなるパラフィンブロックを作製するためのトレイの底面上に、第１剥離層、第１粘着層、基材層、第２粘着層及び第２剥離層からなる両面粘着性シートの第２剥離層が剥離除去され、第２粘着層を介して粘着固定されていることを特徴とするパラフィンブロックの作製キットである。
【考案の効果】
【００１５】
本考案のパラフィンブロックの作製キットは、トレイの底面上に両面粘着性シートを付着し、このシート上に検体を付着するため、細長い検体であっても容易に所望の状態に付着固定でき、また、ポリープ等の微少検体であっても容易にシート上にランダム又は規則的に付着固定でき、更に、複数個の検体であっても任意の位置に付着固定できるので一挙に処理することができる。
また、トレイの底面上に両面粘着性のシートを付着し該シートウエーブに検体を付着するので、検体が液状パラフィンにより浮き上がることがないため一挙に液状パラフィンを注ぐことができる。従って、まず少量の液状パラフィンを注いで検体を仮固定し、次いで、追加の液状パラフィンを注ぐという２段で液体パラフィンを注ぐ従来の方法に比べて、簡単且つ短時間で効率的にパラフィンブロックを作製することができる。
更に、本考案の製造キットにより得られるパラフィンブロックは、検体を包埋するパラフィンが１層であり継目をなくすることができるので、スライスする際に継目から割れたり、剥離したりする従来のようなトラブルがなく、貴重な検体を無駄にすることなく、顕微鏡標本を作製することができる。
【図面の簡単な説明】
【００１６】
【図１】本考案に用いられる両面粘着性シートの一例を示す概略図である。
【図２】図２は、把持部を有する両面粘着性シートの例を示し、（ａ）は上面図、（ｂ）は側面図、（ｃ）は両面粘着性シートの他の例を示す上面図である。
【図３】トレイの底面上に両面粘着性シートを貼着した状態を示す概略図である。半円内は両面粘着性シートの部分拡大図である。
【図４】図３において、両面粘着性シートの上に検体を付着した状態を示す概略図で、（ａ）は１個の検体を、（ｂ）は複数個の検体を付着した例を示す。
【図５】図４（ａ）のトレイの上にカセット本体を載置し、カセットが浸るまで液状パラフィンを注いだ状態を示す概略図である。
【図６】図５において、トレイを取り去ってパラフィンブロックを得た状態を示す概略図である。
【図７】本考案により得られるパラフィンブロックを示す概略断面図である。
【図８】図７のパラフィンブロックをミクロトームでスライスして得られた薄片状の顕微鏡検体を示す概略図である。
【図９】医療検査用カセットの一例を示す概略図である。
【図１０】図９のカセットに検体を収容した状態を示す概略図である。
【図１１】トレイの一例を示す概略図である。
【図１２】トレイに少量の液状パラフィンを注いで検体にパラフィンを浸透させるとともにトレイの底面上に仮固定した状態を示す概略図である。
【図１３】図１２のトレイの上にカセット本体を載置し、カセット本体が浸るまで液状パラフィンを注いだ状態を示す概略図である。
【図１４】図１３において、トレイを取り去ってパラフィンブロックを得た状態を示す概略図である。
【図１５】図１４のパラフィンブロックを上下逆にしてミクロトームでスライスする状態を示す概略図である。
【図１６】図１５のパラフィンブロックをスライスして得られた薄片状の顕微鏡標本を示す概略図である。
【考案を実施するための形態】
【００１７】
本考案のパラフィンブロック作製キットは、図１１に示すようなトレイＴと図１に示すような両面粘着性シートＡとからなる。
【００１８】
トレイＴは通常ステンレス等金属製の容器で、底部から開口部に向かって拡開する検体収容部Ｔ３と、その上部に外方向で水平方向に延設されたカセット本体載置部Ｔ２と、その上方に延設された額縁部Ｔ１とからなる。額縁部Ｔ１は手指で把持する部分で、額縁部Ｔ１を備えていないトレイでも差し支えない。
【００１９】
両面粘着性シートＡは、図１に示すように、上方から、第１剥離層Ａ１、第１粘着層Ａ２、基材層Ａ３、第２粘着層Ａ４及び第２剥離層Ａ５からなる。
基材層Ａ３は、紙、布、フィルム（セロハン、ＯＰＰ、アセテート、ポリエステル等）等が挙げられる。基材層Ａ３の両側（上下）の第１、第２粘着層Ａ２、Ａ４に用いられる粘着剤としては、ゴム系、アクリル系、ビニルエーテル系、ホットメルト等の感圧粘着剤が挙げられる。
【００２０】
第１、第２粘着層Ａ２、Ａ４に貼付される第１、第２剥離層Ａ１、Ａ５は、紙やフィルムの基材に剥離剤をコーティングしたもので、剥離剤としてはシリコーン樹脂、ポリ４−メチルペンテン−１（ＴＰＸ）、エチレン−プロピレン共重合体樹脂等が挙げられる。
【００２１】
両面粘着性シートＡは、図２（ａ）に示すように、外周の一部に把持部Ｐを設けるのが好ましい。把持部Ａ６は、第１剥離層Ａ１及び第５剥離層Ａ５の突出部で、図２（ｂ）に示すように、この把持部Ａ６を摘んで上方又は下方に引っ張ることにより、第１剥離層Ａ１、第５剥離層Ａ５を剥離除去して、第１粘着層Ａ２、第２粘着層Ａ４を容易に露出させることができる。
【００２２】
両面粘着性シートＡは、図２（ｃ）に示すように、第２剥離層Ａ５の上に、第１剥離層Ａ１、第１粘着層Ａ２、基材層Ａ３、第２粘着層Ａ４からなる複数個の積層体を該第２粘着層Ａ４を介して貼付することができる。第２剥離層Ａ５は、複数個（図では４個）の積層体を適宜間隔を置いて配置できるサイズであり、各積層体は第２剥離層Ａ５から剥離して使用に供される。
【００２３】
本考案のキットの使用方法は、図３、図４に示すように、下層の第２剥離層Ａ５を剥離除去して第２粘着層Ａ４を露出させ、該第２粘着層Ａ４を介して、トレイＴの底面に付着させる。次いで、上層の第１剥離層Ａ１を剥離除去して第１粘着層Ａ２を露出させ、この第１粘着層Ａ２の上面に検体Ｓを付着固定させる。図４（ａ）は、第１粘着層Ａ２上に１個の検体Ｓを付着固定させた例であり、図４（ｂ）は複数個（図では６個）の検体Ｓを付着固定させた例を示す。
【００２４】
以降の操作は従来と同様で、１個の検体Ｓを付着した図４（ａ）に基づいて説明すると、図５に示すように、トレイＴのカセット載置部Ｔ２にカセット本体Ｃ１を載置し、液状パラフィンを前記カセット本体Ｃ１が浸るまで注ぐ。この際に、検体Ｓは両面粘着性シートＡ（第２粘着層Ａ４）を介してトレイＴの検体収容部Ｔ３の底面上に貼着されているので、液状パラフィンＰを一気に注いでも検体Ｓが浮き上がることはない。
【００２５】
尚、液状パラフィンをカセット本体Ｃ１が浸るまで注ぐ目的は、カセット本体Ｃ１の底部の透孔Ｃ３を介してトレイＴ内の検体Ｓを包埋したパラフィンをカセット本体Ｃ１の底部に十分に付着させ、後にミクロトームでスライスする際にカセット本体Ｃ１の底部から分離しないようにするためである。従って、通常、カセット本体Ｃ１の高さの約８０〜１００％になるように注がれるが、通常は冷却収縮して７５〜９５％程度になる。
【００２６】
次いで、図６に示すように、トレイＴを取り去ることにより、パラフィンブロックＢが得られる。この際に、両面粘着性シート２は、通常、トレイＴの方に貼着してトレイＴとともに取り去られる。尚、図６において、カセット本体Ｃ１から食み出たバリは削切されている。
【００２７】
得られたパラフィンブロックは、図７に示すように、上下を逆にして、即ち、検体Ｓ側を上部に、カセット本体Ｃ１側を下にしてミクロトーム上にアダプターに係合固定された状態でスライスされ、図８に示すような顕微鏡標本が得られる。得られたパラフィンブロックＢにはパラフィンの継目がないので、スライスの際に継目から割れたり、剥離したりするトラブルは発生しない。もっとも、必要により、従来のように、パラフィンを２段で注入することも可能である。
【００２８】
本考案における検体は両面粘着性シートに付着されるものであれば特に制限されないが、付着の作業性からは短冊状の検体が好ましい。また、ポリープ等の微小検体であっても、容易に両面粘着性シートに付着固定できるので、従来のようにパラフィンで固定する場合に比べ、作業性は大巾に向上する。更に、複数個の微小検体を両面粘着性シート上にランダムに又は規則的に任意に付着固定することができるので、複数個の検体を一挙に処理することが可能で、また、複数個の検体は移動しないので各検体の識別性も確保することができる。
【００２９】
本考案における医療検査用カセットは、カセット本体と蓋体とからなるものであれば特に制限されず、上記においては傾斜した板状の記録部を有するカセットを例示したが、このような傾斜した板状の記録部を有していないカセットも使用可能である。
また、本考案におけるトレイも特に制限はなく、上記においては額縁部を有するトレイを例示したが、このような額縁部を有しないものも使用可能である。
また、顕微鏡標本の左右の方向を視認できるように、検体収容部の左右のいずれかを非対称とした形状のものも使用することができる。
【産業上の利用可能性】
【００３０】
叙上のとおり、本考案のパラフィンブロックの作製キットは、トレイの底面上に両面粘着性シートを付着し、このシート上に検体を付着固定するため、細長い検体であっても容易に所望の状態に付着固定でき、また、ポリープ等の微少検体であっても容易にシート上にランダム又は規則的に付着固定でき、更に、複数個の検体であっても任意の位置に付着固定できるので一挙に処理することができる。
また、トレイの底面上に両面粘着性のシートを付着し該シート上に検体を付着するので、検体が液状パラフィンにより浮き上がることがないため一挙に液状パラフィンを注ぐことができる。従って、まず少量の液状パラフィンを注いで検体を仮固定し、次いで、追加の液状パラフィンを注ぐという２段で液体パラフィンを注ぐ従来の方法に比べて、簡単且つ短時間で効率的にパラフィンブロックを作製することができる。
更に、本考案の製造キットにより得られるパラフィンブロックは、検体を包埋するパラフィンが１層であり継目をなくすることができるので、スライスする際に継目から割れたり、剥離したりする従来のようなトラブルがなく、貴重な検体を無駄にすることなく、顕微鏡標本を作製することができる。
【符号の説明】
【００３１】
Ａ  両面粘着性シート
Ａ１  第１剥離層
Ａ２  第１粘着層
Ａ３  基材層
Ａ４  第２粘着層
Ａ５  第２剥離層
Ａ６  把持部
Ｂ  パラフィンブロック
Ｃ１  カセット本体
Ｃ１ａ  記録部
Ｃ２  蓋体
Ｃ３  透孔
Ｃ４  係止部
Ｔ  トレイ
Ｔ１  額縁部
Ｔ２  カセット本体載置部
Ｔ３  検体収容部
Ｐ、Ｐ１、Ｐ２  パラフィン
ＰＪ  パラフィンの継目
Ｓ  検体
【図１】
0003213828.tif 000003
【図２】
0003213828.tif 000004
【図３】
0003213828.tif 000005
【図４】
0003213828.tif 000006
【図５】
0003213828.tif 000007
【図６】
0003213828.tif 000008
【図７】
0003213828.tif 000009
【図８】
0003213828.tif 000010
【図９】
0003213828.tif 000011
【図１０】
0003213828.tif 000012
【図１１】
0003213828.tif 000013
【図１２】
0003213828.tif 000014
【図１３】
0003213828.tif 000015
【図１４】
0003213828.tif 000016
【図１５】
0003213828.tif 000017
【図１６】
0003213828.tif 000018
【手続補正書】
【提出日】平成29年10月6日(2017.10.6)
【手続補正１】
【補正対象書類名】実用新案登録請求の範囲
【補正対象項目名】全文
【補正方法】変更
【補正の内容】
【実用新案登録請求の範囲】
【請求項１】
カセット本体の底面部に検体を包埋したパラフィンが付着してなるパラフィンブロックを作製するためのトレイと、第１剥離層、第１粘着層、基材層、第２粘着層及び第２剥離層からなる両面粘着性シートとから構成されることを特徴とするパラフィンブロックの作製キット。
【請求項２】
両面粘着性シートの第２剥離層の上に、第１剥離層、第１粘着層、基材層及び第２粘着層からなる積層体が複数個形成されていることを特徴とする請求項１記載のパラフィンブロックの作製キット。
【請求項３】
両面粘着性シートの外周に把持部が突設され、該把持部は第１剥離層及び第２剥離層からなることを特徴とする請求項１又は２に記載のパラフィンブロックの作製キット。
【請求項４】
カセット本体の底面部に検体を包埋したパラフィンが付着してなるパラフィンブロックを作製するためのトレイの底面上に、第１剥離層、第１粘着層、基材層、第２粘着層及び第２剥離層からなる両面粘着性シートの第２剥離層が剥離除去され、
前記第２粘着層を介して粘着固定されていることを特徴とするパラフィンブロックの作製キット。